(57)【要約】【課題】基地局エリアが変っても、自動的に、変更後の基地局エリアにおける同一内容の放送を継続して受信可能な、携帯電話機を提供する。【解決手段】開示される携帯電話機は、放送局受信機能を有する携帯電話機において、携帯電話機が属する基地局からの受信情報より、基地局エリアにおいて受信可能な放送局の情報を抽出する放送局情報抽出部８を備え、抽出された放送局情報に含まれる放送局の送信周波数を、放送局受信部９における受信周波数として設定するとともに、携帯電話機が属する基地局が変更された場合には、変更後の基地局から得られた放送局情報に含まれている、これまで受信中の放送局と同一名称の放送局の送信周波数を、放送局受信部９における受信周波数として設定する。【選択図】      図１
2004312132.tif 000002
【特許請求の範囲】
【請求項１】
放送局受信機能を有する携帯電話機において、
該携帯電話機が属する基地局からの受信情報より、該基地局エリアにおいて受信可能な放送局の情報を抽出する放送局情報抽出手段を備え、
前記抽出された放送局情報に含まれる放送局の送信周波数を、自携帯電話機の放送局受信手段における受信周波数として設定できるように構成されていることを特徴とする携帯電話機。
【請求項２】
前記放送局情報に当該放送局の名称を含むことを特徴とする請求項１記載の携帯電話機。
【請求項３】
前記携帯電話機が属する基地局が変更された場合に、変更後の基地局から得られた前記放送局情報に含まれている、これまで受信中の放送局と同一名称の放送局の送信周波数を前記放送局受信手段における受信周波数として設定できるように構成されていることを特徴とする請求項２記載の携帯電話機。
【請求項４】
前記携帯電話機が属する基地局が変更された場合に、変更後の基地局から得られた前記放送局情報に含まれている、同一内容の放送を行っていることを示す系列名が同一である放送局の送信周波数を前記放送局受信手段における受信周波数として設定できるように構成されていることを特徴とする請求項１又は２記載の携帯電話機。
【請求項５】
前記放送局の送信周波数に相当するものとして、論理分割された情報における特定の論理チャネルが指定され、前記放送局受信手段における受信周波数に相当するものとして、論理分割された情報における特定の論理チャネルが指定されることを特徴とする請求項１乃至４のいずれか一記載の携帯電話機。
【請求項６】
前記放送局の送信周波数に相当するものとして、時分割された情報における特定の時間チャネルが指定され、前記放送局受信手段における受信周波数に相当するものとして、時分割された情報における特定の時間チャネルが指定されることを特徴とする請求項１乃至４のいずれか一記載の携帯電話機。
【請求項７】
前記放送局の送信周波数に相当するものとして、符号分割された情報における特定の符号チャネルが指定され、前記放送局受信手段における受信周波数に相当するものとして、符号分割された情報における特定の符号チャネルが指定されることを特徴とする請求項１乃至４のいずれか一記載の携帯電話機。
【請求項８】
放送局受信機能を有する携帯電話機に対して、該携帯電話機が属する基地局から、該基地局エリアにおいて受信可能な放送局の情報を送出することによって、前記携帯電話機において、前記放送局情報に含まれる放送局の送信周波数を、自携帯電話機における放送受信周波数として設定することを特徴とする携帯電話機の放送受信システム。
【請求項９】
前記放送局情報に当該放送局の名称を含むことを特徴とする請求項８記載の携帯電話機の放送受信システム。
【請求項１０】
前記携帯電話機が属する基地局が変更された場合に、変更後の基地局から得られた前記放送局情報に含まれる、これまで受信中の放送局と同一名称の放送局の送信周波数を、自携帯電話機における放送受信周波数として設定することを特徴とする請求項９記載の携帯電話機の放送受信システム。
【請求項１１】
前記携帯電話機が属する基地局が変更された場合に、変更後の基地局から得られた前記放送局情報に含まれる、これまで受信中の放送局と同一内容の放送を行っていることを示す系列名が同一の放送局の送信周波数を、自携帯電話機における放送受信周波数として設定することを特徴とする請求項８又は９記載の携帯電話機の放送受信システム。
【請求項１２】
前記放送局の送信周波数に相当するものとして、論理分割された情報における特定の論理チャネルが指定され、前記放送局受信手段における受信周波数に相当するものとして、論理分割された情報における特定の論理チャネルが指定されることを特徴とする請求項８乃至１１のいずれか一記載の携帯電話機の放送受信システム。
【請求項１３】
前記放送局の送信周波数に相当するものとして、時分割された情報における特定の時間チャネルが指定され、前記放送局受信手段における受信周波数に相当するものとして、時分割された情報における特定の時間チャネルが指定されることを特徴とする請求項８乃至１１のいずれか一記載の携帯電話機の放送受信システム。
【請求項１４】
前記放送局の送信周波数に相当するものとして、符号分割された情報における特定の符号チャネルが指定され、前記放送局受信手段における受信周波数に相当するものとして、符号分割された情報における特定の符号チャネルが指定されることを特徴とする請求項８乃至１１のいずれか一記載の携帯電話機の放送受信システム。
【発明の詳細な説明】
【０００１】
【発明の属する技術分野】
この発明は、基地局エリアが変っても、自動的に、変更後の基地局エリアにおける同一内容の放送を継続して受信可能な、携帯電話機及び携帯電話機の放送受信システムに関する。
【０００２】
【従来の技術】
放送受信周波数の自動切り換えシステムに関しては、特許文献１，特許文献２，特許文献３，特許文献４，特許文献５，特許文献６に記載された従来技術が、既に知られている。
これらのシステムは、放送局の受信電界強度の劣化や、受信品質の低下を検出することによって、自動的に別の受信周波数に切り換えて、放送受信を継続して行えるようにしようとするものである。
【０００３】
また、別の従来技術のシステムとして、特許文献５，特許文献７，特許文献８，特許文献９，特許文献１０に記載されたものがある。
これらのシステムは、放送局受信機の位置や放送塔の位置に応じて自動的に別の周波数に切り換え、又は放送受信機の位置において受信可能な受信可能局情報を用いて、自動的に別の周波数に切り換えて、放送受信を継続しようとするものである。
【０００４】
【特許文献１】
特開平６−２１６７２０号公報
【特許文献２】
特公平７−３８５９６号公報（特開平３−１８８７１６号公報）
【特許文献３】
特開平８−１２５５５７号公報
【特許文献４】
特開平１１−１１２２９４号公報
【特許文献５】
特開２０００−１１５００４号公報
【特許文献６】
特開２０００−２８５３８４号公報
【特許文献７】
特許第２９２２９０１号公報（特開平１−１７５６９９号公報）
【特許文献８】
特許第３０５３９８４号公報（特開平６−１８８６９０号公報）
【特許文献９】
特許第３２８０５３０号公報（特開平８−１４０００４号公報）
【特許文献１０】
特開平１１−３３１００１号公報
【特許文献１１】
特開２００２−００９６４９号公報
【特許文献１２】
特開平０８−１６２９０９号公報
【０００５】
【発明が解決しようとする課題】
上述の第１のグループの従来技術においては、別の周波数への切り換えを行う際に、切換え先の放送局に対する受信周波数を決定するために、複数の周波数で受信電界強度や受信品質を確認した後に、最適な受信周波数を選択する必要があるという問題がある。
これは、受信電界強度や受信品質が、別の受信周波数に切り換えるための判断材料となっているためである。
【０００６】
また、上述の第２のグループの従来技術においては、別の周波数への切り換えを行う際に、切換え先の放送局の周波数を決定するためには、放送局受信機の位置を知る手段と、放送局受信機の位置と切換え先の放送局の送信周波数とを関連付けるための手段や、放送塔の位置と放送局受信機の位置とを関連付けるための手段を、受信機に備えつけておく必要があるという問題がある。
【０００７】
これは、放送局受信機の位置と、放送局の送信周波数ごとに受信可能な位置や、放送塔の位置とは、それぞれ独立した情報であって、放送局受信機の位置の情報だけでは、その位置において受信可能な放送局の送信周波数が不明であるとともに、また、放送局の周波数ごとに受信可能な位置の情報だけでは、現在の放送局受信機の位置が不明なので、放送局の送信周波数の選択を行うことができず、従って、それぞれの独立した情報だけでは、放送局受信機が別の受信周波数へ切り換えを行おうとする際に、切換え先で受信可能な放送局の送信周波数の判断を行うことができないためである。
【０００８】
この発明は上述の事情に鑑みてなされたものであって、最適な受信周波数の選択を行うために、複数の周波数を確認する必要がなく、携帯電話機の位置と放送局の送信周波数ごとに、受信可能な位置や放送塔の位置を関連付ける必要がない、携帯電話機及び携帯電話機の放送受信システムを提供することを目的としている。
【０００９】
【課題を解決するための手段】
上記課題を解決するため、請求項１記載の発明は携帯電話機に係り、放送局受信機能を有する携帯電話機において、該携帯電話機が属する基地局からの受信情報より、該基地局エリアにおいて受信可能な放送局の情報を抽出する放送局情報抽出手段を備え、上記抽出された放送局情報に含まれる放送局の送信周波数を、自携帯電話機の放送局受信手段における受信周波数として設定できるように構成されていることを特徴としている。
【００１０】
また、請求項２記載の発明は、請求項１記載の携帯電話機に係り、上記放送局情報に当該放送局の名称を含むことを特徴としている。
【００１１】
また、請求項３記載の発明は、請求項２記載の携帯電話機に係り、上記携帯電話機が属する基地局が変更された場合に、変更後の基地局から得られた上記放送局情報に含まれている、これまで受信中の放送局と同一名称の放送局の送信周波数を上記放送局受信手段における受信周波数として設定できるように構成されていることを特徴としている。
【００１２】
また、請求項４記載の発明は、請求項１又は２記載の携帯電話機に係り、上記携帯電話機が属する基地局が変更された場合に、変更後の基地局から得られた上記放送局情報に含まれている、同一内容の放送を行っていることを示す系列名が同一である放送局の送信周波数を上記放送局受信手段における受信周波数として設定できるように構成されていることを特徴としている。
【００１３】
また、請求項５記載の発明は、請求項１乃至４のいずれか一記載の携帯電話機に係り、上記放送局の送信周波数に相当するものとして、論理分割された情報における特定の論理チャネルが指定され、上記放送局受信手段における受信周波数に相当するものとして、論理分割された情報における特定の論理チャネルが指定されることを特徴としている。
【００１４】
また、請求項６記載の発明は、請求項１乃至４のいずれか一記載の携帯電話機に係り、上記放送局の送信周波数に相当するものとして、時分割された情報における特定の時間チャネルが指定され、上記放送局受信手段における受信周波数に相当するものとして、時分割された情報における特定の時間チャネルが指定されることを特徴としている。
【００１５】
また、請求項７記載の発明は、請求項１乃至４のいずれか一記載の携帯電話機に係り、上記放送局の送信周波数に相当するものとして、符号分割された情報における特定の符号チャネルが指定され、上記放送局受信手段における受信周波数に相当するものとして、符号分割された情報における特定の符号チャネルが指定されることを特徴としている。
【００１６】
また、請求項８記載の発明は、携帯電話機の放送受信システムに係り、放送局受信機能を有する携帯電話機に対して、該携帯電話機が属する基地局から、該基地局エリアにおいて受信可能な放送局の情報を送出することによって、上記携帯電話機において、上記放送局情報に含まれる放送局の送信周波数を、自携帯電話機における放送受信周波数として設定することを特徴としている。
【００１７】
また、請求項９記載の発明は、請求項８記載の携帯電話機の放送受信システムに係り、上記放送局情報に当該放送局の名称を含むことを特徴としている。
【００１８】
また、請求項１０記載の発明は、請求項９記載の携帯電話機の放送受信システムに係り、上記携帯電話機が属する基地局が変更された場合に、変更後の基地局から得られた上記放送局情報に含まれる、これまで受信中の放送局と同一名称の放送局の送信周波数を、自携帯電話機における放送受信周波数として設定することを特徴としている。
【００１９】
また、請求項１１記載の発明は、請求項８又は９記載の携帯電話機の放送受信システムに係り、上記携帯電話機が属する基地局が変更された場合に、変更後の基地局から得られた上記放送局情報に含まれる、これまで受信中の放送局と同一内容の放送を行っていることを示す系列名が同一の放送局の送信周波数を、自携帯電話機における放送受信周波数として設定することを特徴としている。
【００２０】
また、請求項１２記載の発明は、請求項８乃至１１のいずれか一記載の携帯電話機の放送受信システムに係り、上記放送局の送信周波数に相当するものとして、論理分割された情報における特定の論理チャネルが指定され、上記放送局受信手段における受信周波数に相当するものとして、論理分割された情報における特定の論理チャネルが指定されることを特徴としている。
【００２１】
また、請求項１３記載の発明は、請求項８乃至１１のいずれか一記載の携帯電話機の放送受信システムに係り、上記放送局の送信周波数に相当するものとして、時分割された情報における特定の時間チャネルが指定され、上記放送局受信手段における受信周波数に相当するものとして、時分割された情報における特定の時間チャネルが指定されることを特徴としている。
【００２２】
また、請求項１４記載の発明は、請求項８乃至１１のいずれか一記載の携帯電話機の放送受信システムに係り、上記放送局の送信周波数に相当するものとして、符号分割された情報における特定の符号チャネルが指定され、上記放送局受信手段における受信周波数に相当するものとして、符号分割された情報における特定の符号チャネルが指定されることを特徴としている。
【００２３】
【発明の実施の形態】
以下、図面を参照して、この発明の実施の形態について説明する。説明は、実施例を用いて具体的に行う。なお、以下の実施例においては、放送局がラジオ放送局である場合について説明するが、この場合に限るものではなく、放送局がテレビ放送局の場合であってもよい。
【００２４】
◇第１実施例
図１は、本発明の第１実施例における携帯電話機の構成を示すブロック図、図２は、本実施例における受信周波数選択動作を説明するための概念図、図３は、本実施例における基地局の放送局情報を示す図、図４は、本実施例における受信周波数選択手順を示すフローチャート、図５は、本実施例における受信周波数変更手順を示すフローチャートである。
【００２５】
この例の携帯電話機は、図１に示すように、携帯電話アンテナ１と、無線部２と、ベースバンド部３と、メモリ４と、中央処理回路５と、表示器６と、操作部７と、放送局情報抽出部８と，放送局受信部９と、放送局アンテナ１０とから概略構成されている。
【００２６】
携帯電話アンテナ１は、空間から受信した電磁波を無線信号に変換して無線部２に入力し、無線部２から出力された無線信号を電磁波に変換して空間に送出する。無線部２は、携帯電話アンテナ１とベースバンド部３との間で、無線信号とベースバンド信号との相互の変換を行う。ベースバンド部３は、無線部２と中央処理回路５との間で、ベースバンド信号と、中央処理回路５が理解可能な符号情報との相互の変換を行う。メモリ４は、中央処理回路５の演算結果を読み書きし、放送局情報を記憶する。
【００２７】
中央処理回路５は、携帯電話機の全体の動作を制御するとともに、ベースバンド部３から入力される符号情報を放送局情報抽出部８に供給して、放送局情報抽出部８から出力された放送局情報をメモリ４に保存し、メモリ４に保存された放送局情報から抽出された必要な情報を、使用者が理解可能な形式にして表示のために表示器６へ供給し、操作部７から入力された操作情報に基づいて、放送局受信部９に対して受信周波数の指示を行う。
【００２８】
表示器６は、放送局選択のために必要な情報と、その他の各種の情報を使用者の理解できる形で表示する。操作部７は、ボタン部等からなり，使用者の操作に応じて、携帯電話機の動作に必要な各種操作情報の入力を行うとともに、放送局選択のために必要な情報を入力することができる。放送局情報抽出部８は、中央処理回路５より入力された基地局からの情報を基に、放送局の情報を抽出して中央処理回路５に出力する。放送局受信部９は、放送局アンテナ１０から入力された放送信号から受信周波数の信号を選択し、復調して中央処理回路５に出力する。放送局アンテナ１０は、放送局から送られた放送電磁波を、放送信号に変換して放送局受信部９へ入力する。
【００２９】
次に、図１を参照して、この例の携帯電話機の動作を説明する。
携帯電話アンテナ１で受け取られた基地局電磁波は、無線信号として無線部２に入力され、中央処理回路５から指定された周波数の信号が選択され、増幅されたのち復調されて、ベースバンド部３に入力され、中央処理回路５で理解可能な符号情報に変換される。
中央処理回路５は、ベースバンド部３から入力された符号情報から、放送局情報抽出部８によって放送局情報を抽出して、メモリ４に保存する。さらに中央処理回路５は、メモリ４に保存された放送局情報から必要な情報を抜き出して、使用者が理解可能な形式で表示器６において表示を行う。
【００３０】
使用者は、表示器６に表示された放送局情報を基に、操作部７からの操作入力によって、受信希望放送局を選択する。中央処理回路５は、操作部７から入力された、使用者が選択した放送局の情報をメモリ４に保存すると同時に、選択された放送局に応じて、放送局受信部９において受信周波数の設定を行う。放送局受信部９は、放送局アンテナ１０で受信した電磁波から、中央処理回路５によって設定された周波数の無線信号を受信する。
【００３１】
使用者の移動に伴って、中央処理回路５は、ベースバンド部３から得られる、基地局電磁波の受信電界強度や符号信号の信頼性を基に、携帯電話機が属する基地局の変更を行う。
そして、携帯電話機の属する基地局が変更された場合、中央処理回路５は、ベースバンド部３によって得られた、新たに属することとなった基地局の送信する符号情報から、放送局情報抽出部８によって、放送局情報を抽出して、メモリ４に保存する。
【００３２】
中央処理回路５は、新たに抽出された放送局情報中に、メモリ４に保存されている、これまで受信していた放送局と同一内容の放送を行う放送局の情報が存在しているか否かを確認し、存在が確認された場合には、新たに受信した放送局の情報に従って、放送局受信部９における受信周波数の設定を更新することによって、以後受信する放送局の周波数に自動的に変更する。
【００３３】
次に、図１乃至図５を参照して、この例の携帯電話機における受信周波数決定時の動作を説明する。
まず、図４に示すフローチャートを参照して、この例の携帯電話機における受信周波数選択手順を説明する。
【００３４】
図２に示す携帯電話機（Ａ）２１が、基地局（Ａ）１１の電磁波が到達するエリア、すなわち基地局Ａ範囲１６に存在する場合、携帯電話機（Ａ）２１は、中央処理回路５が有するプログラムによって予め定められている手順に従って、基地局（Ａ）１１に属するための登録を行う（ステップＡ０１）。
【００３５】
基地局（Ａ）１１に登録を行った携帯電話機（Ａ）２１の中央処理回路５は、携帯電話アンテナ１，無線部２，ベースバンド部３を介して、基地局（Ａ）１１から送信されている情報の受信を開始する（ステップＡ０２）。
携帯電話機（Ａ）２１は、中央処理回路５が基地局（Ａ）１１から送信されている情報の受信完了を判断すると、受信した情報から、放送局情報抽出部８を用いて、放送局の情報の抽出を行う（ステップＡ０３）。
【００３６】
ここで、放送局情報抽出部８を用いて抽出された情報は、基地局Ａ範囲１６周辺で受信可能な放送波の到達エリアである放送塔Ａ範囲１９を持つ、放送塔（Ａ）１４から送信されている電磁波に関する情報であって、図３に示された、基地局Ａ放送局情報１０１である。
基地局Ａ放送局情報１０１の内容は、１０３で示される放送局名「いろはラジオ」と送信周波数「８０．０ＭＨｚ」、及び１０４で示される放送局名「ほへとラジオ」と送信周波数「８１．０ＭＨｚ」である。
【００３７】
中央処理回路５は、抽出された基地局Ａ放送局情報１０１を、使用者が理解できる形で、例えば、放送局名の「いろはラジオ」及び「ほへとラジオ」によって、表示器６に表示する（ステップＡ０４）。
使用者は、表示器６に表示された放送局名の「いろはラジオ」及び「ほへとラジオ」から、操作部７を使用して選択して、受信放送局を決定する（ステップＡ０５）。
【００３８】
いま、使用者が「いろはラジオ」を選択したとする。中央処理回路５は、選択された放送局の情報１０３をメモリ４に保存するとともに、放送局受信部９において、使用者が選択した放送局「いろはラジオ」の放送周波数「８１．０ＭＨｚ」を、受信周波数として設定する（ステップＡ０６）。
放送局受信部９は、中央処理回路５によって受信周波数を設定されることによって、放送塔（Ａ）１４から送信されている電磁波を、放送局アンテナ１０を介して受信開始する（ステップＡ０７）。
【００３９】
次に、図５に示すフローチャートを参照して、この例の携帯電話機における受信周波数変更手順を説明する。
いま、使用者が放送塔（Ａ）１４からの電磁波を受信中に、携帯電話機（Ｂ）２２の位置まで移動したとする。携帯電話機（Ｂ）２２の位置まで移動した場合、基地局（Ｂ）１２の電磁波の到達する基地局Ｂ範囲１７に存在することになるので、携帯電話機（Ｂ）２２は、中央処理回路５のプログラムによって、予め決められている手順で、基地局（Ｂ）  １２に属するための登録を行う（ステップＢ０１）。
【００４０】
基地局（Ｂ）１２に登録を行った携帯電話機（Ｂ）２２は、その後、中央処理回路５の制御に基づいて、携帯電話アンテナ１，無線部２，ベースバンド部３を介して、基地局（Ｂ）１２から送信されている情報の受信を開始する（ステップＢ０２）。
【００４１】
携帯電話機（Ｂ）２２において、中央処理回路５は、基地局（Ｂ）１２から送信されている情報の受信が完了したことを判断すると、放送局情報抽出部８を用いて、受信した情報から放送局の情報の抽出を行う（ステップＢ０３）。
ここで抽出された情報は、基地局Ｂ範囲１７の周辺で受信可能な、放送塔Ｂ範囲２０を持つ放送塔（Ｂ）１５から送信されている電磁波に関する情報であって、図３に示す基地局Ｂ放送局情報１０２である。
【００４２】
基地局Ｂ放送局情報１０２の内容は、１０５で示される放送局名「いろはラジオ」と送信周波数「８２．０ＭＨｚ」、及び１０５で示される放送局名「ほへとラジオ」と送信周波数「８３．０ＭＨｚ」であるとする。
中央処理回路５は、抽出した基地局Ｂ放送局情報１０２によって、使用者に理解できる形で、表示器６に表示されている内容を更新する（ステップＢ０４）。
【００４３】
次に、中央処理回路５は、メモリ４に保存されている、これまで受信中の放送局名が、抽出した基地局Ｂ放送局情報１０２における放送局の情報１０５と１０６に含まれているか否かの確認を行う（ステップＢ０５）。
ここでは、「いろはラジオ」を受信中であったため、基地局Ｂ放送局情報１０２における放送局の情報１０５によって、「いろはラジオ」の存在を確認する。
【００４４】
中央処理回路５は、放送局の情報１０５に、受信中の放送局と同一名称の「いろはラジオ」の存在が確認できたため、放送局受信部９の受信周波数を、新たに抽出した放送局の情報１０５の送信周波数に従って、「８２．０ＭＨｚ」に更新する（ステップＢ０６）。
なお、基地局Ｂ放送局情報１０２に、これまで受信中の放送局と同一名称の放送局の情報が存在しない場合には、放送局受信部９における受信周波数の変更は行われない。
【００４５】
このように、この例の携帯電話機では、携帯電話機が属する基地局が変わったことによって、新たな基地局情報を受信したときに、放送局情報抽出部８によって同一名称の放送局の情報を抽出し、これによって、中央処理回路５が放送局受信部９に新たな受信周波数を設定するので、携帯電話機が待ち受けている基地局に変化があった場合に、自動的に、放送局の受信周波数を更新して、同一内容の放送の受信を継続することができる。
従って、使用者は、一旦、放送局の受信を開始した後は、その位置が移動しても、放送局の受信周波数の変更の操作を行う必要がない。
【００４６】
また、この例の携帯電話機では、携帯電話機が待ち受けている基地局から送信されている放送局情報には、当該基地局を待ち受け可能な範囲付近で受信できる受信周波数を含む放送局の情報が含まれているので、使用者は、見知らぬ地域でも、放送を受信するために、受信周波数を探索する手間を省くことができ、従って、使用者は、迷うことなく直ちに放送局の受信を開始することができる。
【００４７】
◇第２実施例
図６は、本発明の第２実施例における基地局の放送局情報を示す図、図７は、本実施例における受信周波数変更手順を示すフローチャートである。
この例における携帯電話機の構成と、受信周波数選択手順とは、それぞれ図１，図４に示された第１実施例の場合と同様である。
【００４８】
以下においては、図２に示す携帯電話機（Ａ）２１が、図４に示された受信周波数選択手順に従って、基地局（Ａ）１１から送信されている情報を受信して、受信した情報から放送局の情報の抽出を行い、放送塔Ａ範囲１９を持つ放送塔（Ａ）１４から送信されている放送局の電磁波に関する情報として、図６に示すような、２０３で示される放送局名「いろはラジオ」，系列名「系列Ａ」，送信周波数「８０．０ＭＨｚ」、及び２０４で示される放送局名「ほへとラジオ」，系列名「系列Ｂ」，送信周波数「８１．０ＭＨｚ」とからなる基地局Ａ放送局情報２０１を得、使用者がそのうち系列Ａの「いろはラジオ」を選択し、「８０．０ＭＨｚ」を受信周波数として設定して受信開始した後に、使用者の移動に伴って、受信周波数の変更を行うことになったとする。
【００４９】
以下、図７に示すフローチャートを参照して、この例における携帯電話機の放送局受信周波数変更手順を説明する。
いま、使用者が系列Ａの「いろはラジオ」を受信中に、携帯電話（Ｂ）２２の位置まで移動したとき、基地局（Ｂ）１２の電磁波の到達する、基地局Ｂ範囲１７に存在することによって、携帯電話（Ｂ）２２は、中央処理回路５のプログラムによって、基地局（Ｂ）１２に属するための登録を行い（ステップＣ０１）、その後、中央処理回路５の制御に基づいて、携帯電話アンテナ１，無線部２，ベースバンド部３を介して、基地局（Ｂ）１２から送信されている情報の受信を開始する（ステップＣ０２）。
【００５０】
基地局（Ｂ）１２から送信されている情報の受信完了後、中央処理回路５は、放送局情報抽出部８を用いて、受信した情報から放送局の情報の抽出を行って（ステップＣ０３）、基地局Ｂ範囲１７の周辺で受信が可能な、放送塔Ｂ範囲２０を持つ放送塔（Ｂ）１５から送信されている電磁波に関する情報として、２０５で示される放送局名「ちりぬラジオ」，系列名「系列Ａ」，送信周波数「８２．０ＭＨｚ」、及び２０６で示される放送局名「わがよラジオ」，系列名「系列Ｂ」，送信周波数「８３．０ＭＨｚ」からなる、図６に示す基地局Ｂ放送局情報２０２を得たとき、中央処理回路５は、この基地局Ｂ放送局情報２０２によって、使用者に理解できる形で、表示器６に表示されている内容を更新する（ステップＣ０４）。以上の手続きは、図５に示された第１実施例の場合とほぼ同様である。
【００５１】
次に、中央処理回路５は、基地局Ａ放送局情報２０１に含まれている放送局の情報２０３，２０４における系列局情報「系列Ａ」，「系列Ｂ」と、基地局Ｂ放送局情報２０２に含まれる放送局の情報２０５，２０６における系列局情報「系列Ａ」，「系列Ｂ」との情報を用いて、同一内容の放送を行う同一系列の放送局が存在しているか否かの確認を行う（ステップＣ０５）。
ここでは、系列Ａの「いろはラジオ」をこれまて受信していたため、基地局Ｂ放送局情報２０２中に、２０５で示される「いろはラジオ」と同一系列Ａの「ちりぬラジオ」の存在を確認する。
【００５２】
中央処理回路５は、放送局の情報２０５に、受信中の放送局と同一系列の「ちりぬラジオ」の存在が確認できたため、新たに抽出された放送局の情報２０５の送信周波数に従って、放送局受信部９の受信周波数を、「８２．０ＭＨｚ」に更新する（ステップＣ０６）。
なお、基地局Ｂ放送局情報２０２に、これまで受信中の放送局と同一系列の放送局の情報が存在しない場合には、放送局受信部９における受信周波数の変更は行われない。
【００５３】
このように、この例の携帯電話機では、携帯電話機が属する基地局が変わったことによって、新たな基地局情報を受信したときに、放送局情報抽出部８によって同一系列に属する放送局の情報を抽出し、これによって、中央処理回路５が放送局受信部９に新たな受信周波数を設定するので、携帯電話機が待ち受けている基地局に変化があった場合に、自動的に、放送局の受信周波数を更新して、同一内容の放送を行っている同一系列の放送局の受信を継続することができる。
従って、使用者は、一旦、放送局の受信を開始した後は、その位置が移動しても、放送局の受信周波数の変更の操作を行う必要がない。
【００５４】
また、この例の携帯電話機では、携帯電話機が待ち受けている基地局から送信されている放送局情報には、当該基地局を待ち受け可能な範囲付近で受信できる受信周波数を含む放送局の情報が含まれているので、使用者は、見知らぬ地域でも、放送を受信するために、受信周波数を探索する手間を省くことができ、従って、使用者は、迷うことなく直ちに放送局の受信を開始することができる。
【００５５】
以上、この発明の実施例を図面により詳述してきたが、具体的な構成はこの実施例に限られたものではなく、この発明の要旨を逸脱しない範囲の設計の変更等があってもこの発明に含まれる。例えば、本発明の携帯電話機及び携帯電話機の放送受信システムにおいて、放送局情報抽出部８によって抽出される放送局情報に含まれる、放送局の送信周波数の情報は、周波数情報以外に、例えば、論理分割された一連の情報から並べかえを行って分離された、周波数情報に相当する特定の論理情報を示す論理チャネルや、時分割された一連の情報から分離された、周波数情報に相当する特定のタイムスロットを示す時間チャネル、又は符号分割された一連の情報から抽出された、周波数情報に相当する特定の符号情報を示す符号チャネルであって、中央処理回路５が、このような情報を、放送局受信部９において受信周波数に相当するものとして設定するものとしてもよく、これによって携帯電話機の使用者は、多重化されている放送における、これまで受信していた放送局と同一内容の放送を継続して受信することができる。
【００５６】
【発明の効果】
以上説明したように、本発明によれば、携帯電話機が待ち受けている基地局から送信される放送局情報には、当該基地局を待ち受け可能な範囲付近で受信できる受信周波数を含む放送局の情報が含まれているので、使用者は、見知らぬ地域でも、放送を受信するために、受信周波数を探索する手間を省くことができ、従って、使用者は、直ちに放送局の受信を開始することが可能になる。
【００５７】
また、本発明によれば、基地局から送信される情報に含まれている、放送局情報を抽出して、抽出された放送局情報に含まれている放送局の受信を開始した後に、移動に伴って携帯電話機が属する基地局に変化があった場合に、新たに属することとなった基地局から送信されている情報に含まれる放送局情報を抽出して、これまで受信中の放送局に対する受信周波数の設定を自動的に更新して、移動した基地局周辺における、同一名称の放送局、又は同一内容の放送を行っている同一系列の放送局の放送周波数に受信周波数を変更するので、使用者は、移動に伴って、放送局の受信周波数の設定を変更する手間を省くことが可能になる。
【図面の簡単な説明】
【図１】本発明の第１実施例における携帯電話機の構成を示すブロック図である。
【図２】同実施例における受信周波数選択動作を説明するための概念図である。
【図３】同実施例における基地局の放送局情報を示す図である。
【図４】同実施例における受信周波数選択手順を示すフローチャートである。
【図５】同実施例における受信周波数変更手順を示すフローチャートである。
【図６】本発明の第２実施例における基地局の放送局情報を示す図である。
【図７】同実施例における受信周波数変更手順を示すフローチャートである。
【符号の説明】
１      携帯電話アンテナ
２      無線部
３      ベースバンド部
４      メモリ
５      中央処理回路
６      表示器
７      操作部
８      放送局情報抽出部（放送局情報抽出手段）
９      放送局受信部（放送局受信手段）
１０      放送局アンテナ
【図１】
2004312132.tif 000003
【図２】
2004312132.tif 000004
【図３】
2004312132.tif 000005
【図４】
2004312132.tif 000006
【図５】
2004312132.tif 000007
【図６】
2004312132.tif 000008
【図７】
2004312132.tif 000009